(57)【要約】【課題】折り板屋根の鼻先部にブラケットを取り付け、このブラケットへ折り板屋根の鼻先部を覆うカバー材を支持させることにより、見栄えがよく、水切りも良くて、強度と耐久性に優れた鼻先部のカバー構造を提供すること。【解決手段】折り板屋根の鼻先部へ取付け部材によりカバー材を屋根先と平行するように取付け、このカバー材で折り板屋根の鼻先部をカバーさせる折り板屋根の鼻先部カバー構造であって、上記取付け部材３は、取付け部６を折り板屋根２の先端下側へ止着して、上側及び下側にカバー材４の係止部１０、１１を有するブラケット７を折り板屋根２の鼻先に位置させるものであり、カバー材４は、折り板屋根２の鼻先部の前、上、後の三方を覆う形状に形成されて、上側及び下側にブラケット７に設けた係止部１０、１１へ係合する係合部１５、１４を設けられているものであること。【選択図】図１
2006161451.tif 000002
【特許請求の範囲】
【請求項１】
折り板屋根の鼻先部へ取付け部材によりカバー材を屋根先と平行するように取付け、このカバー材で折り板屋根の鼻先部をカバーさせる折り板屋根の鼻先部カバー構造であって、
上記取付け部材は、取付け部を折り板屋根の先端下側へ止着して、上部及び下部にカバー材の係止部を有するブラケットを折り板屋根の鼻先に位置させるものであり、
カバー材は、折り板屋根の鼻先部の前、上、後の三方を覆う形状に形成されて、上部及び下部にブラケットに設けた係止部へ係合する係合部を設けられているものである
ことを特徴とする折り板屋根の鼻先部カバー構造。
【請求項２】
取付け部材におけるブラケットの下部に設けた係止部が上方へ開口する溝条であり、
カバー材の下部に設けた係合部が後方への張出片の先端を下方に曲げた鉤部である
ことを特徴とする請求項１に記載の折り板屋根の鼻先部カバー構造。
【請求項３】
取付け部材におけるブラケットの上部に設けた係止部が上方へ開口するＴ型、蟻型等の溝条であり、カバー材の上部に設けた係合部がカバー材へねじ止めされたボルト頭またはナットである
ことを特徴とする請求項１に記載の折り板屋根の鼻先部カバー構造。
【請求項４】
取付け部材におけるブラケットの下部に設けた係止部が前方への張出片の先端を下方へ曲げた鉤部であり、カバー材の下部裏側に設けた係合部が上方へ開口する溝条である
ことを特徴とする請求項１に記載の折り板屋根の鼻先部カバー構造。
【請求項５】
カバー材の上部に設ける係合体がボルトの頭またはナットであり、該ボルトの頭またはナットを止めるナットまたはボルトの締め付けによりカバー材をブラケットへ固定したものである
ことを特徴とする請求項３に記載の折り板屋根の鼻先部カバー構造。
【請求項６】
カバー材の上部の係合部がボルトの頭またはナットであり、該ボルトの頭またはナットをカバー材へ止着するナットまたはボルトの頭に、カバー材に支持される緩み止めキャップを被せ付けてある
ことを特徴とする請求項５に記載の折り板屋根の鼻先部カバー構造。
【請求項７】
取付け部材におけるブラケットの上部に設けた係止部が下方へ曲がる鉤部片であり、
カバー材の上部に設けた係合体が前向きに曲がる鉤部である
ことを特徴とする請求項１に記載の折り板屋根の鼻先部カバー構造。
【請求項８】
取付け部材におけるブラケットの上部に設けた係止部が下方へ曲がる鉤部片であり、
カバー材の上部に設けた係合体が前向きに曲がる鉤部であり、該カバー材の上部とブラケットの上部が接する部分をネジなどで結合したものである
ことを特徴とする請求項６に記載の折り板屋根の鼻先部カバー構造。
【発明の詳細な説明】
【技術分野】
【０００１】
本発明は、折り板屋根の鼻先部を見栄えよくカバーすることができる折り板屋根の鼻先部カバー構造に関する。
【背景技術】
【０００２】
従来、折り板屋根の鼻先部をカバーするには、波型断面のデッキプレートの谷部に所定のピッチで落ち込み段部を形成し、傾斜面には谷側より山側の巾が狭まる凹部を形成することで彎曲させたデッキプレートを折り板屋根の鼻先部へ連結する構造を採用している。（例えば、特許文献１参照）
【特許文献１】特開昭６１−２８２５３９号
【０００３】
しかしながら、彎曲デッキプレートを折り板屋根の鼻先部へ連結する構造は、折り板の谷部が見えて見栄えがよくないので、谷部を隠すカバーを取り付ける必要が生じて、余分な費用がかかり、しかも、折り板を彎曲させるデッキプレートは、加工が難しいために高価であって、水切りがよくないため錆び易くて耐用年数が短いという問題点がある。
【発明の開示】
【発明が解決しようとする課題】
【０００４】
本発明は、前記問題点を解消し、折り板屋根の鼻先部にブラケットを取り付け、このブラケットの上下へ折り板屋根の鼻先部を覆うカバー材を係止することにより、見栄えがよくて、経済性と耐久性に優れた折り板屋根の鼻先部カバー構造を提供することをその課題とする。
【課題を解決するための手段】
【０００５】
前記課題を解決するため本発明に係る折り板屋根の鼻先部カバー構造は下記の構成を採用することを特徴とする。
【０００６】
請求項１の発明は、折り板屋根の鼻先部へ取付け部材によりカバー材を屋根先と平行するように取付け、このカバー材で折り板屋根の鼻先部をカバーさせる折り板屋根の鼻先部カバー構造であって、上記取付け部材は、取付け部を折り板屋根の先端下側へ止着して、上部及び下部にカバー材の係止部を有するブラケットを折り板屋根の鼻先に位置させるものであり、カバー材は、折り板屋根の鼻先部の前、上、後の三方を覆う形状に形成されて、上部及び下部にブラケットに設けた係止部へ係合する係合部を設けられているものであること。
【０００７】
請求項２の発明は、取付け部材におけるブラケットの下部に設けた係止部が上方へ開口する溝条であり、カバー材の下部に設けた係合部が後方への張出片の先端を下方に曲げた鉤部であることが好ましい。
【０００８】
請求項３の発明は、取付け部材におけるブラケットの上部に設けた係止部が上方へ開口するＴ型、蟻型等の溝条であり、カバー材の上部に設けた係合部がカバー材へねじ止めされたボルト頭またはナットであることが好ましい。
【０００９】
請求項４の発明は、取付け部材におけるブラケットの下部に設けた係止部が前方への張出片の先端を下方へ曲げた鉤部であり、カバー材の下部裏側に設けた係合部が上方へ開口する溝条であることが好ましい。
【００１０】
請求項５の発明は、カバー材の上部に設ける係合部がボルトの頭またはナットであり、該ボルトの頭またはナットを止めるナットまたはボルトの締め付けによりカバー材をブラケットへ固定したものであることが好ましい。
【００１１】
請求項６の発明は、カバー材の上部の係合部がボルトの頭またはナットであり、該ボルトの頭またはナットをカバー材へ止着するナットまたはボルトの頭に、カバー材に支持される緩み止めキャップを被せ付けてあることが好ましい。
【００１２】
請求項７の発明は、取付け部材におけるブラケットの上部に設けた係止部が下方へ曲がる鉤部であり、カバー材の上部に設けた係合部が前向きに曲がる鉤部であることが好ましい。
【００１３】
請求項８の発明は、取付け部材におけるブラケットの上部に設けた係止部が下方へ曲がる鉤部であり、カバー材の上部に設けた係合体が前向きに曲がる鉤部であり、該カバー材の上部とブラケットの上部が接する部分をネジなどで結合したものであることが好ましい。
【発明の効果】
【００１４】
請求項１の効果  折り板屋根の鼻先部へこれと平行するようにカバー材が取り付けられて、鼻先部の前、上、後の三方を覆うため、屋根の折り板構造が見えない見栄えの良いカバー構造を容易に施工できて、取付け部材のブラケットへカバー材を被せ付ける構造のため取り付けも簡便に行なわれ、しかも、三方から折り板屋根の鼻先部を覆って雨水の浸入を防ぐため、屋根材の水切りがよくて錆びにくいため、屋根材の耐久性向上にも有効である。
【００１５】
請求項２の効果  ブラケットの下部の係止部が上向きの溝条であり、カバー材の下部の係合部が張出片の先端に設けた下向きの鉤部であるため、ブラケットへカバー材を被せ付ける取り付けが簡便に実施できて、溝条と鉤部の係合により安定して離脱し難いカバー材の取り付けができる。
【００１６】
請求項３の効果  ブラケットのＴ型、蟻型の溝条へボルトの頭またはナットを係合させて置き、カバー材へボルトの頭またはナットに合わせた孔をあけておけば、カバー材をブラケットに被せ付ける方式でカバー材を簡便にブラケットへ取り付けることができて、取り付け後、ボルト・ナットでブラケットとカバー材を結合して取り付けを強固で安定したものにできる。
【００１７】
請求項４の効果  ブラケットの下部の係止部が張出片の先端に設けた鉤部であり、カバー材の下部の係合部が裏側に設けた溝条であるため、ブラケットへカバー材を被せ付ける取り付けが簡便に実施できて、溝条と鉤部の係合により安定して離脱し難いカバー材の取り付けができる。
【００１８】
請求項５の効果  カバー材の上部の係合体となるボルトの頭またはナットは、ブラケットの溝条に係合しているため、ナットまたはボルトでカバー材へ取り付けると、カバー材とブラケットがネジで結合されて、特に強力で安定したカバー材の取り付けができる。
【００１９】
請求項６の効果  カバー材の上部の係合部となるボルトの頭またはナットをカバー材へ取り付けるナットまたはボルトの頭に緩み止めキャップを被せるため、地震、台風、その他で振動等が加わっても、ナットまたはボルトは緩み止めにキャップに制止されて緩むことがない。
【００２０】
請求項７の効果  ブラットの上部の係止部が下方へ曲がる鉤部であり、カバー材の上部の係合部が前方へ曲がる鉤部であるため、ブラケットへカバー材を被せ付ける取り付けが簡便に実施できて、両鉤部の係合により安定して離脱し難いカバー材の取り付けができる。
【００２１】
請求項８の効果  カバー材をブラケットへ被せ付ける取付けでも、取付け後にカバー材とブラケットの接触する部分をネジ等で結合するため、カバー材の強固で安定した取り付けができる。
【発明を実施するための最良の形態】
【００２２】
以下に本発明に係る折り板屋根の鼻先部カバー構造の実施形態を図面に基づいて説明する。
【実施例１】
【００２３】
図１において符号１は、折り板屋根の鼻先部カバー構造を示す。このカバー構造１は、折り板屋根２の鼻先へ取付け部材３でカバー材４を屋根先と平行するように取付け、このカバー材４で折り板屋根２の鼻先部をカバーさせたものである。
【００２４】
上記鼻先部カバー構造１において、折り板屋根２は、図７に示す通り山部２ａと谷部２ｂが交互に連設されるように鋼等の板材を曲げ加工して形成した長尺のものであり、この折り板屋根２は、図１に示すＴ型、Ｉ型等の支持材５の上へ梁を配して、この梁へタイトフレーム等で取り付け、鼻先上がりの傾斜が付くようにするものであるが、この手段は周知に属するもので図面は省略する。
【００２５】
折り板屋根２の鼻先部へカバー材４を取り付ける取付け部材３は、Ｌ型材による取付け部６とブラケット７とを結合したもので、取付け部６の縦片６ｂへ、ブラケット７の縦主部７ａを図２に＋印を付けた部分において、ボルト８で締め付け固定する。そして、取付け部６の横片６ａを折り板屋根２の下側へタイトフレーム９で取り付けると、ブラケット７が折り板屋根２の鼻先部へ屋根先と平行するように位置付けされて、このブラケット７は、上部に後方への水平折曲部７ｂを設けて、その上面に上方へ開口するＴ溝、蟻溝等の上側の係止部１０を設け、下部の前面には上方へ開口する溝条の下側の係止部１１を有するようにアルミニウムの押出成形等で図２に一部分を示す通りの長尺物に形成する。あるいは、ブラケット７は短尺物とし、支持材５の上部に設け、カバー材４を取り付けることができる。
【００２６】
取付け部材３を構成するＬ型材の取付け部６と、縦板型のブラケット７を結合する際、両者が正しく位置合わせされるようにブラケット７の後面に凸条１２を設け、この凸条１２へ取付け部６の縦片６ｂの上端を当てて、取付け部６とブラケット７とを位置合わせしてボルト８による締め付けを行なうようにする。
【００２７】
カバー材４は、折り板屋根２の鼻先部の前、上、後の三方を覆う断面形状にアルミニウムの押出成形か、鋼等の板材のプレス加工等で図３に一部分を示す通りの長尺物に形成するものであり、その断面形状は、図１に示す通り上部の水平部４ａで鼻先部の上方を覆い、水平部４ａの前側に連設した斜面部４ｂと垂直部４ｃとで鼻先の前方を覆い、水平部４ａの後側に連設した垂直部４ｄで鼻先部の後方を覆うようにする。そして、前側の垂直部４ｃの後部には、ブラケット７の下部へ向って伸びる張出片４ｅを設け、この張出片４ｅの先端にブラケット７の下側の係止部１１に係合するように下方へ曲がる鉤部を設けて、この鉤部を下側の係合部１４とする。
【００２８】
カバー材４の水平部４ａに設ける上側の係合部１５は、ブラケット７に設けた上側の係止部１０へ係合させるボルト１６の頭を用いるものであり、この係合部１５となるボルトの頭は予めブラケット７の上側の係止部１０に係合させて置き、カバー材４を図３のように水平部４ａの＋印にあけた複数の孔１７よりボルト１６が出るようにブラケット７へ被せる。そして、ボルト１６へナット１８を螺合させて、係合体となるボルト１６の頭がカバー材４へ固定されるようにする。
【００２９】
また、カバー材４はその水平部４ａの上側には、ナット１８の緩み止めキャップ１９を取り付ける。この緩み止めキャップ１９は、ナット１８の四角形、六角形等の対応面に内面部両側面が近接する程度の巾を有する逆Ｕ字形等の断面形状であって、下端の両外側に摺動片２０を設け、上部の両内側にナット１８の上面へ当る抑え片２１を設けられた図４に示す通りの長尺物にアルミニウム等の押出成形で形成する。そして、カバー材４の水平部４ａの上面には、孔１７を挟むように摺動片２０の案内溝２２を設け、この案内溝２２へ摺動片２０を係合させて緩み止めキャップ１９を移動させると、このキャップ１９が複数のナット１８を中に収めて緩み止めを行なう。
【００３０】
なお、上記の場合、ブラケット７の上側の係止部１０へボルト１６の頭を係合させて、カバー材４の上側の係合部１０としたが、ブラケット７の上側の係止部１０へナットを係合させて、このナットを係合部１０とすることが可能であり、この場合、ナットのカバー材への取り付けにはボルトを用いるものである。
【００３１】
この実施例の折り板屋根の鼻先部カバー構造１によるカバー材の取り付け方法は、下記の通り行なわれる。
【００３２】
ブラケット７の上側の係止部１０へ図５（ａ）に示す通り、ボルト１６の頭を係合させて、この頭をカバー材４の係止部１０とする。そして、カバー材４をその水平部４ａにあけた孔１７からボルト１６が上へ出るようにブラケット７へ被せ付けると、カバー材４の下部裏側に設けた張出片４ｅの先端に設けた鉤部が下側の係合部１４となって、ブラケット７の下部表側に設けて下側の係止部１１とした溝条へ対応するから、係合部１４を図６（ａ）に示す通り係止部１１へ係合させると、上側の係止部１０と係合部１５及び下側の係止部１１と係合部１４の係合によって、カバー材４がブラケット７へ取り付けられる。そこで、カバー材４の水平部４ａに図３の通りあけた孔１７から上へ出るボルト１６にナット１８を螺合させて、カバー材４とブラケット７の水平折曲部７ｂを締め付ければ、カバー材４が強固確実にブラケット７へ固着されるので、カバー材４に設けた案内溝２２に摺動片２０を係合させて緩み止めキャップ１９を移動させ、複数のナット１８を覆うように取り付ければ、ナット１８の緩みも生じないカバー構造が簡単に設置されて、折り板屋根２の鼻先部を見栄えがよくて水切りも良いようにカバーすることができる。
【実施例２】
【００３３】
この実施例２は、実施例１に示す折り板屋根２の鼻先部カバー構造1の取付け部材３に
おけるブラケット７に設けた下側の係止部１１と、カバー材４に設けた下側の係合部１４
を変化させた態様を示すものであるので、実施例１と同一構造の部分に付いては同一の
符号を付して説明は省略し、変化させた部分の構造のみに付いて説明する。
【００３４】
カバー材４の取付け部材３におけるブラケット７の下部に設ける下側の係止部１１は、
図９に示す通り、ブラケット７の下端から前方へ張り出させた張出片７ｃの先端に下方へ
曲がる鉤部を設け、この鉤部を下側の係止部１１とし、カバー材４は図１０に示す通り、
前側の垂直部４ｃの下端の裏側に上向きに開口する溝条を設けて、この溝条を下側の係合
部１４としたものであり、前記実施例１と同様の操作でブラケット７に対するカバー材４
の取り付けを行なうと、カバー材４に設けた溝条の下側の係合部１４が、ブラケット７に
設けた鉤型の下側の係止部１１へ係合して、カバー材４の下部をブラケット１の下部へ止
め付けるものである。
【実施例３】
【００３５】
この実施例３は、取付け部材３におけるブラケット７に設ける上側の係止部１０と下側
の係止部１１及びカバー材４に設ける上側の係合部１５と下側の係合部１４を変化させた
態様を示すものであって、折り板屋根２へ取付け部材３の取付け部６でブラケット７を取
り付ける構造は実施例１と同様であるので、実施例１と同一構造の部分に付いては同一の
符号を付して説明は省略し、変化させた部分の構成のみに付いて説明する。
【００３６】
取付け部材３におけるブラケット７は、図１２に示す通り、縦主部7ａの上部に後方への水平折曲部７ｂを設け、この水平折曲部７ｂの後端にカバー材４の後側の垂直部４ｄの下端へ向って斜めに延び出す斜片７ｄを設けて、この斜片７ｄの先端部を上側の係止部１０とし、ブラケット７の下端にカバー材４の前側の垂直部４ｃの下部へ向って張り出す張出片７ｅを設け、この張出片７ｅの先端に下向きに曲がる鉤部を設けて、この鉤部を下側の係止部１１としてあり、また、カバー材４は、図１３に示す通り、後側の垂直部４ｄの下端に前方へ曲がる鉤部を設けて、この鉤部を上側の係合部１５とし、前側の垂直部４ｃの下端の後側には上方へ開口する溝条を設けて、この溝条をカバー材４の下側の係合部１４としたものである。
【００３７】
カバー材４をその上側の係合部１５と下側の係合部１４を、ブラケット７の上側の係止部１０と下側の係止部１１へ係合させて取り付ける。このような係合させて取り付けるだけでは、カバー材４の取付強度が不十分な場合は、カバー材４の水平部４ｄとブラケット７の水平折曲部７ｂとが重なる部分の図１１に＋印で示す部分に、ネジ２３を締め込んでカバー材４とブラケット５を結合して取付けを強化するものであって、ネジ２３にはその緩み止めと防水を図る保護材２４を被着することが好ましい。
【００３８】
この実施例の折り板屋根の鼻先部カバー構造１によるカバー材の取り付け方法は、下記の通り行なわれる。
【００３９】
カバー材４を図１４（ａ）に示す通り、上側の係合部１５がブラケット７の斜辺７ｄへ当り、下側の係合部１４がブラケット７の張出片７ｅへ当るように置いて、カバー材４を押し下げると、カバー材４はブラケット７の斜辺７ｄと張出片７ｅの傾斜によって図１４（ｂ）に示す通りに広げられて、上側の係合部１５はホルダー７の上側の係止部１０へ係合し、下側の係合部１４は図１５（ａ）に示す通り、ブラケット７の張出片７ｅに設けた鉤部である下側の係止部１１へ係合して、カバー材４をブラケット７へ止め付ける。さらに、カバー材４の水平部４ｄとブラケット７の水平折曲部７ｂとを図１５（ｂ）に示す通り、ネジ２３で締め付ければブラケット７へカバー材４が強固に取り付けられて、見栄えがよくて、水切りもよい折り板屋根の鼻先カバー構造１が簡単に設置される。
【００４０】
またこの実施例によれば、カバー材４の下側に設けた溝条の係合部１４を、図１６（ａ）に示す通り、ブラケット７の下側に設けた鉤部の係止部１１へ係合させて、カバー材４を同図に矢印で示す方向に押し上げ回動させると、カバー材４は図１６（ｂ）に示す通りに変形して、ブラケット７の水平折曲部７ｂを乗り越え、鉤型の係合部１５が斜片７ｄを滑り下りて、ブラケット７の上側の係止部１０へ係合し、図１５（ａ）に示す通りブラケット７へ取り付けられるので、カバー材４の水平部４ａとブラケット７の水平折曲部７ｂとを図１５（ｂ）に示す通り、ネジ２３で締め付けて結合しても、前記と同様の取り付けができる。
【産業上の利用可能性】
【００４１】
折り板屋根の鼻先部を屋根先と平行に設置したカバー材で簡便に見栄えよくカバーするのに利用できる。
【図面の簡単な説明】
【００４２】
【図１】折り板屋根の鼻先部カバー構造の実施例１を示す断面図。
【図２】同上カバー構造に用いたブラケットの一部分を示す斜視図。
【図３】同上カバー構造に用いたカバー材の一部分を示す斜視図。
【図４】同上カバー構造に用いたナットの緩み止めキャップの一部分を示す斜視図。
【図５】（ａ）（ｂ）は、ブラケットへカバー材を取り付ける状態の前半を示す説明図。
【図６】（ａ）（ｂ）は、ブラケットへカバー材を取り付ける状態の後半を示す説明図。
【図７】カバー材の取付を完了した状態の斜視図。
【図８】折り板屋根の鼻先部カバー構造の実施例２を示す断面図。
【図９】同上カバー構造に用いたブラケットの一部分を示す斜視図。
【図１０】同上カバー構造に用いたカバー材の一部分を示す斜視図。
【図１１】折り板屋根の鼻先部カバー構造の実施例３を示す断面図。
【図１２】同上カバー構造に用いたブラケットの一部分を示す斜視図。
【図１３】同上カバー構造に用いたカバー材の一部分を示す斜視図。
【図１４】（ａ）（ｂ）は、ブラケットへカバー材を取り付ける状態の前半を示す説明図。
【図１５】（ａ）（ｂ）は、ブラケットへカバー材を取り付ける状態の後半を示す説明図。
【図１６】（ａ）（ｂ）は、ブラケットへカバー材を取り付ける状態の他の例を示す説明図。
【符号の説明】
【００４３】
１  折り板屋根の鼻先部カバー構造
２  折り板屋根
３  取付け部材
４  カバー材
７  ブラケット
１０  上側の係止部
１１  下側の係止部
１４  下側の係合部
１５  上側の係合部
【図１】
2006161451.tif 000003
【図２】
2006161451.tif 000004
【図３】
2006161451.tif 000005
【図４】
2006161451.tif 000006
【図５】
2006161451.tif 000007
【図６】
2006161451.tif 000008
【図７】
2006161451.tif 000009
【図８】
2006161451.tif 000010
【図９】
2006161451.tif 000011
【図１０】
2006161451.tif 000012
【図１１】
2006161451.tif 000013
【図１２】
2006161451.tif 000014
【図１３】
2006161451.tif 000015
【図１４】
2006161451.tif 000016
【図１５】
2006161451.tif 000017
【図１６】
2006161451.tif 000018